(57)【要約】【課題】車両ヘッドユニット上のスマートデバイスユーザインターフェースをシミュレートする、改良されたシステムの提供。【解決手段】本方法は、複数のユーザインターフェースを記憶することであって、複数のユーザインターフェースのそれぞれがプラットフォームに属する、記憶するステップと、スマートデバイスが複数のプラットフォームのうちの１つに適合するかどうかを判定するステップとを含む。スマートデバイスが複数のプラットフォームのうちの１つに適合すると判定された場合に、本方法はさらに、適合するプラットフォームに属するユーザインターフェースを検索するステップと、車両ヘッドユニット上の適合するユーザインターフェースを使用するステップとを含む。【選択図】図１
2015051762.tif 000002
【特許請求の範囲】
【請求項１】
車両ヘッドユニット上のスマートデバイスユーザインターフェースをシミュレートするための方法であって、
複数のユーザインターフェースを記憶するステップであって、前記複数のユーザインターフェースがプラットフォームに属する、記憶するステップと、
スマートデバイスを検出するステップと、
前記スマートデバイスが前記複数のプラットフォームのうちの１つに適合するかどうかを判定するステップと、
前記スマートデバイスが前記複数のプラットフォームのうちの１つに適合すると判定された場合に、
前記スマートデバイスのユーザを識別するステップと、
前記ユーザが許可されているかどうかを判定するステップと、
前記ユーザが許可されていると判定された場合に、
前記適合するプラットフォームに属する前記ユーザインターフェースを検索するステップと、
前記適合するユーザインターフェースからアバターを表示するステップと、
前記アバターが選択されたかどうかを判定するステップと、
前記アバターが選択されたと判定された場合に、
前記車両ヘッドユニット上の前記適合するユーザインターフェースを使用するステップと、
を含むことを特徴とする、方法。
【請求項２】
第２のスマートデバイスを検出するステップと、
前記第２のスマートデバイスが前記複数のプラットフォームのうちの１つに適合するかどうかを判定するステップと、
前記第２のスマートデバイスが前記複数のプラットフォームのうちの１つに適合すると判定された場合に、
前記第２のスマートデバイスの第２のユーザを識別するステップと、
前記第２のユーザが許可されているかどうかを判定するステップと、
前記第２のユーザが許可されていると判定された場合に、
前記第２の適合するプラットフォームに属する前記ユーザインターフェースを検索するステップと、
前記第２の適合するユーザインターフェースから第２のアバターを表示するステップと、
前記第２のアバターが選択されたかどうかを判定するステップと、
前記第２のアバターが選択されたと判定された場合に、
前記車両ヘッドユニット上の前記第２の適合するユーザインターフェースを使用するステップと、を更に含むことを特徴とする、請求項１に記載の方法。
【請求項３】
前記アバターで前記ユーザの識別情報を表示するステップを更に含むことを特徴とする、請求項１に記載の方法。
【請求項４】
前記スマートデバイスが前記複数のプラットフォームのうちの１つに適合するかどうかを判定する前に、車両ユーザインターフェースを表示するステップを更に含むことを特徴とする、請求項１に記載の方法。
【請求項５】
車両ヘッドユニット上のスマートデバイスユーザインターフェースをシミュレートするための方法であって、
複数のユーザインターフェースを記憶するステップであって、前記複数のユーザインターフェースがプラットフォームに属する、記憶するステップと、
スマートデバイスが前記複数のプラットフォームのうちの１つに適合するかどうかを判定するステップと、
前記スマートデバイスが前記複数のプラットフォームのうちの１つに適合すると判定された場合に、
前記スマートデバイスのユーザを識別するステップと、
前記ユーザが許可されているかどうかを判定するステップと、
前記ユーザが許可されていると判定された場合に、
前記適合するプラットフォームに属する前記ユーザインターフェースを検索するステップと、
前記車両ヘッドユニット上の前記適合するユーザインターフェースを使用するステップと、を含むことを特徴とする、方法。
【請求項６】
第２のスマートデバイスが前記複数のプラットフォームのうちの１つに適合するかどうかを判定するステップと、
前記第２のスマートデバイスが前記複数のプラットフォームのうちの１つに適合すると判定された場合に、
前記第２のスマートデバイスの第２のユーザを識別するステップと、
前記第２のユーザが許可されているかどうかを判定するステップと、
前記第２のユーザが許可されていると判定された場合に、
前記第２の適合するプラットフォームに属する前記ユーザインターフェースを検索するステップと、を含むことを特徴とする、請求項５に記載の方法。
【請求項７】
前記スマートデバイスが前記複数のプラットフォームのうちの１つに適合するかどうかを判定する前に、スマートデバイスを検出するステップを更に含む、請求項５に記載の方法。
【請求項８】
前記スマートデバイスが前記複数のプラットフォームのうちの１つに適合するかどうかを判定する前に、車両ユーザインターフェースを表示するステップを更に含む、請求項５に記載の方法。
【請求項９】
車両ヘッドユニット上のスマートデバイスユーザインターフェースをシミュレートするための方法であって、
複数のユーザインターフェースを記憶するステップであって、前記複数のユーザインターフェースがプラットフォームに属する、記憶するステップと、
スマートデバイスが前記複数のプラットフォームのうちの１つに適合するかどうかを判定するステップと、
前記スマートデバイスが前記複数のプラットフォームのうちの１つに適合すると判定された場合に、
前記適合するプラットフォームに属する前記ユーザインターフェースを検索するステップと、
前記車両ヘッドユニット上の前記適合するユーザインターフェースを使用するステップと、
を含むことを特徴とする、方法。
【請求項１０】
前記スマートデバイスが前記複数のプラットフォームのうちの１つに適合するかどうかを判定する前に、スマートデバイスを検出するステップを更に含むことを特徴とする、請求項９に記載の方法。
【請求項１１】
第２のスマートデバイスが前記複数のプラットフォームのうちの１つに適合するかどうかを判定するステップと、
前記第２のスマートデバイスが前記複数のプラットフォームのうちの１つに適合すると判定された場合に、
前記第２の適合するプラットフォームに属する前記ユーザインターフェースを検索するステップと、
前記第２の適合するユーザインターフェースを前記車両ヘッドユニットに提供するステップと、を更に含むことを特徴とする、請求項９記載の方法。
【請求項１２】
前記スマートデバイスが前記複数のプラットフォームのうちの１つに適合するかどうかを判定する前に、車両ユーザインターフェースを表示するステップを更に含むことを特徴とする、請求項９記載の方法。
【請求項１３】
車両ヘッドユニット上のスマートデバイスユーザインターフェースをシミュレートするためにデータ処理システムを制御するための命令を含む、コンピュータ読み出し可能な記録媒体であって、前記方法は、
複数のユーザインターフェースを記憶するステップであって、前記複数のユーザインターフェースがプラットフォームに属する、記憶するステップと、
スマートデバイスが前記複数のプラットフォームのうちの１つに適合するかどうかを判定するステップと、
前記スマートデバイスが前記複数のプラットフォームのうちの１つに適合すると判定された場合に、
前記スマートデバイスのユーザを識別するステップと、
前記ユーザが許可されているかどうかを判定するステップと、
前記ユーザが許可されていると判定された場合に、
前記適合するプラットフォームに属する前記ユーザインターフェースを検索するステップと、
前記車両ヘッドユニット上の前記適合するユーザインターフェースを使用するステップと、
を含むことを特徴とする、コンピュータ読み出し可能な記録媒体。
【請求項１４】
前記方法はさらに、
第２のスマートデバイスが前記複数のプラットフォームのうちの１つに適合するかどうかを判定するステップと、
前記第２のスマートデバイスが前記複数のプラットフォームのうちの１つに適合すると判定された場合に、
前記第２のスマートデバイスの第２のユーザを識別するステップと、
前記第２のユーザが許可されているかどうかを判定するステップと、
前記第２のユーザが許可されていると判定された場合に、
前記第２の適合するプラットフォームに属する前記ユーザインターフェースを検索するステップと、を含むことを特徴とする、請求項１３記載のコンピュータ読み出し可能な記録媒体。
【請求項１５】
前記方法はさらに、前記スマートデバイスが前記複数のプラットフォームのうちの１つに適合するかどうかを判定する前に、スマートデバイスを検出するステップを含むことを特徴とする、請求項１３記載のコンピュータ読み出し可能な記録媒体。
【請求項１６】
前記方法はさらに、前記スマートデバイスが前記複数のプラットフォームのうちの１つに適合するかどうかを判定する前に、車両ユーザインターフェースを表示するステップを含むことを特徴とする、請求項１３記載のコンピュータ読み出し可能な記録媒体。
【請求項１７】
車両ヘッドユニット上のスマートデバイスユーザインターフェースをシミュレートするためにデータ処理システムを制御するための命令を含む、コンピュータ読み出し可能な記録媒体であって、前記方法は、
複数のユーザインターフェースを記憶するステップであって、前記複数のユーザインターフェースがプラットフォームに属する、記憶するステップと、
スマートデバイスが前記複数のプラットフォームのうちの１つに適合するかどうかを判定するステップと、
前記スマートデバイスが前記複数のプラットフォームのうちの１つに適合すると判定された場合に、
前記適合するプラットフォームに属する前記ユーザインターフェースを検索するステップと、
前記車両ヘッドユニット上の前記適合するユーザインターフェースを使用するステップと、
を含むことを特徴とする、コンピュータ読み出し可能な記録媒体。
【請求項１８】
前記方法はさらに、前記スマートデバイスが前記複数のプラットフォームのうちの１つに適合するかどうかを判定する前に、スマートデバイスを検出するステップを含むことを特徴とする、請求項１７記載のコンピュータ読み出し可能な記録媒体。
【請求項１９】
前記方法はさらに、
第２のスマートデバイスが前記複数のプラットフォームのうちの１つに適合するかどうかを判定するステップと、
前記第２のスマートデバイスが前記複数のプラットフォームのうちの１つに適合すると判定された場合に、
前記第２の適合するプラットフォームに属する前記ユーザインターフェースを検索するステップと、
前記車両ヘッドユニットのために前記第２の適合するユーザインターフェースを提供するステップと、を含むことを特徴とする、請求項１７記載のコンピュータ読み出し可能な記録媒体。
【請求項２０】
前記方法はさらに、前記スマートデバイスが前記複数のプラットフォームのうちの１つに適合するかどうかを判定する前に、車両ユーザインターフェースを表示するステップを含むことを特徴とする、請求項１７記載のコンピュータ読み出し可能な記録媒体。
【発明の詳細な説明】
【技術分野】
【０００１】
本発明は、概略的には、車両ヘッドユニット上のユーザフレンドリなインターフェースを提供するための方法及びシステムに関し、より詳細には、車両ヘッドユニット上のスマートデバイスユーザインターフェースをシミュレートするための方法及びシステムに関する。
【背景技術】
【０００２】
現在、人々は、タブレットコンピュータ、携帯電話、及び他のポータブルメディアプレーヤー等の種々のスマートデバイスを、それらの自動車ステレオシステムを通して使用することが可能である。
【発明の概要】
【発明が解決しようとする課題】
【０００３】
しかしながら、自動車のステレオシステム上のユーザインターフェースは、ユーザのスマートデバイス上のユーザインターフェースに適合しない。このため、ユーザは、新しい及び異なるユーザインターフェースに慣れなければならず、これには、時間がかかり、いらいらさせる可能性がある。例えば、ユーザが運転中にサウンドトラックを変更したい場合、ユーザの注意を著しく道路からそらすことなく、使い易い使い慣れたユーザインターフェースを見ることがユーザにとって有用である。故に、自動車ステレオシステムと組み合わされているスマートデバイスを識別すること、及びユーザのスマートデバイス上のインターフェースに適合する、調整されたユーザインターフェースを提供することができる、自動車サウンドシステムに対する必要性がある。
【課題を解決するための手段】
【０００４】
本発明と一致する方法及びシステムは、車両ヘッドユニット上のスマートデバイスユーザインターフェースをシミュレートする、改良されたシステムを提供する。ユーザのスマートデバイスの見た目、感触、フロー、及び機能性は、ヘッドユニットに統合される。ユーザがｉＰｈｏｎｅ（登録商標）を有する場合、ヘッドユニットは、ｉＰｈｏｎｅ（登録商標）のオペレーティングシステムに類似して機能する。ユーザがＡｎｄｒｏｉｄ（登録商標）を有する場合、ヘッドユニットは、Ａｎｄｒｏｉｄ（登録商標）のユーザインターフェースに類似して機能する。大部分のスマートデバイスユーザは、スマートデバイスユーザインターフェースに慣れるまでにかなりの時間を費やす。ユーザは、既にスマートデバイスユーザインターフェースに慣れているので、ユーザの車両ヘッドユニット上の異なるユーザインターフェースをどのように使用するのかを学ぶことも望まないし、学ぶ時間もない。
【０００５】
本発明と一致する方法及びシステムによれば、車両ヘッドユニット上のスマートデバイスユーザインターフェースをシミュレートするための方法が提供される。本方法は、複数のユーザインターフェースを記憶することであって、複数のユーザインターフェースのそれぞれがプラットフォームに属する、記憶するステップと、スマートデバイスを検出するステップと、スマートデバイスが複数のプラットフォームのうちの１つに適合するかどうかを判定するステップとを含む。スマートデバイスが複数のプラットフォームのうち１つに適合すると判定された場合に、本方法はさらに、スマートデバイスのユーザを識別するステップと、ユーザが許可されているかどうかを判定するステップとを含む。ユーザが許可されていると判定された場合に、本方法はさらに、適合するプラットフォームに属するユーザインターフェースを検索するステップと、適合するユーザインターフェースからアバターを表示するステップと、アバターが選択されたかどうか判定するステップとを含む。アバターが選択されたと判定された場合に、本方法はさらに、車両ヘッドユニット上の適合するユーザインターフェースを使用するステップを含む。
【０００６】
本発明と別の実施形態と一致する方法及びシステムによれば、車両ヘッドユニット上のスマートデバイスユーザインターフェースをシミュレートするための方法が提供される。本方法は、複数のユーザインターフェースを記憶することであって、複数のユーザインターフェースのそれぞれがプラットフォームに属する、記憶するステップと、スマートデバイスが複数のプラットフォームのうちの１つに適合するかどうかを判定するステップとを含む。スマートデバイスが複数のプラットフォームのうち１つに適合すると判定された場合に、本方法はさらに、スマートデバイスのユーザを識別するステップと、ユーザが許可されているかどうかを判定するステップとを含む。ユーザが許可されていると判定された場合に、本方法はさらに、適合するプラットフォームに属するユーザインターフェースを検索するステップと、車両ヘッドユニット上の適合するユーザインターフェースを使用することとを含む。
【０００７】
本発明の更なる一実施形態と一致する方法及びシステムによれば、車両ヘッドユニット上のスマートデバイスユーザインターフェースをシミュレートするための方法が提供される。本方法は、複数のユーザインターフェースを記憶することであって、複数のユーザインターフェースのそれぞれがプラットフォームに属する、記憶するステップと、スマートデバイスが複数のプラットフォームのうちの１つに適合するかどうかを判定するステップとを含む。スマートデバイスが複数のプラットフォームのうちの１つに適合すると判定された場合に、本方法はさらに、適合するプラットフォームに属するユーザインターフェースを検索するステップと、車両ヘッドユニット上の適合するユーザインターフェースを使用するステップとを含む。
【０００８】
本発明と一致する製品によれば、コンピュータ読み出し可能な記録媒体が提供される。コンピュータ読み出し可能な記録媒体は、車両ヘッドユニット上のスマートデバイスユーザインターフェースをシミュレートするためにデータ処理システムを制御するための命令を含む。本方法は、複数のユーザインターフェースを記憶することであって、複数のユーザインターフェースのそれぞれがプラットフォームに属する、記憶するステップと、スマートデバイスが複数のプラットフォームのうちの１つに適合するかどうかを判定するステップとを含む。スマートデバイスが複数のプラットフォームのうち１つに適合すると判定された場合に、本方法はさらに、スマートデバイスのユーザを識別するステップと、ユーザが許可されているかどうかを判定するステップとを含む。ユーザが許可されていると判定された場合に、本方法はさらに、適合するプラットフォームに属するユーザインターフェースを検索するステップと、車両ヘッドユニット上の適合するユーザインターフェースを使用することとを含む。
【０００９】
本発明の別の実施形態と一致する製品によれば、コンピュータ読み出し可能な記録媒体が提供される。コンピュータ読み出し可能な記録媒体は、車両ヘッドユニット上のスマートデバイスユーザインターフェースをシミュレートするためにデータ処理システムを制御するための命令を含む。本方法は、複数のユーザインターフェースを記憶することであって、複数のユーザインターフェースのそれぞれがプラットフォームに属する、記憶するステップと、スマートデバイスが複数のプラットフォームのうちの１つに適合するかどうかを判定するステップとを含む。スマートデバイスが複数のプラットフォームのうちの１つに適合すると判定された場合に、本方法はさらに、適合するプラットフォームに属するユーザインターフェースを検索するステップと、車両ヘッドユニット上の適合するユーザインターフェースを使用するステップとを含む。
【００１０】
本発明の他のシステム、方法、特徴、及び利点は、以下の図及び詳細な説明を考察すれば、当業者に明らかになるであろう。全てのそのような追加的なシステム、方法、特徴、及び利点は、本明細書に含まれ、本発明の範囲の範囲内に含まれ、また、添付の特許請求の範囲によって保護されることが意図される。
【００１１】
本明細書に組み込まれ、本明細書の一部を構成する添付図面は、本発明の実現形態を例示し、説明とともに本発明の利点及び原理を説明する役目をする。
【図面の簡単な説明】
【００１２】
【図１】本発明と一致する、車両ヘッドユニット上のスマートデバイスユーザインターフェースをシミュレートするための方法及びシステムを実現するのに好適なデータ処理システムを表す図である。
【図２Ａ】本発明と一致する方法及びシステムに従う、図１で表されるデータ処理システムによって行われるステップを例示するフロー図である。
【図２Ｂ】本発明と一致する方法及びシステムに従う、図１で表されるデータ処理システムによって行われるステップを例示するフロー図である。
【図２Ｃ】本発明と一致する方法及びシステムに従う、図１で表されるデータ処理システムによって行われるステップを例示するフロー図である。
【図３】例示的な車両ヘッドユニットユーザインターフェースを表す図である。
【図４】本発明と一致するスマートデバイスユーザインターフェースのシミュレーションを選択的に表示するためのアバターを含む、例示的な車両ヘッドユニットユーザインターフェースを表す図である。
【図５】本発明と一致するスマートデバイスユーザインターフェースの例示的なシミュレーションを表す図である。
【図６】本発明と一致するスマートデバイスユーザインターフェースの例示的なシミュレーションを表す図である。
【図７】本発明と一致するスマートデバイスユーザインターフェースの例示的なシミュレーションを表す図である。
【図８】本発明と一致するスマートデバイスユーザインターフェースの例示的なシミュレーションを表す図である。
【図９】本発明と一致するスマートデバイスユーザインターフェースの例示的なシミュレーションを表す図である。
【図１０】本発明と一致するスマートデバイスユーザインターフェースの例示的なシミュレーションを表す図である。
【図１１】本発明と一致するスマートデバイスユーザインターフェースの例示的なシミュレーションを表す図である。
【図１２】本発明と一致するスマートデバイスユーザインターフェースの例示的なシミュレーションを表す図である。
【発明を実施するための形態】
【００１３】
以下、図面に例示されるような本発明の説明に対して詳細な参照を行う。本発明は、これらの図面と関連して説明されるが、本発明を開示される実施形態に限定するいかなる意図もない。それとは逆に、添付の特許請求の範囲に定義される本発明の趣旨及び範囲の範囲内に含まれる全ての代替物、変形例、均等物を対象とすることを意図する。
【００１４】
図１は、本発明と一致する方法及びシステムを実践するのに好適な、車両ヘッドユニットのための例示的なデータ処理システム１００を表す。データ処理システム１００は、プロセッサ１０２と、メモリ１０４と、ディスプレイ１０６と、オーディオ出力１０８と、入力デバイス１１０と、通信インターフェース１１２とを含む。これらの内部構成要素は、システムバス１１４を介して情報を互いに交換する。データ処理システム１００は、通信インターフェース１１２を通してスマートフォンデバイスと通信する。構成要素は、本発明と一致する大部分のデータ処理システムにおいて標準品である。
【００１５】
データ処理システム１００は、シングルプロセッサを含むが、当業者には、本発明と一致する方法は、マルチプロセッサ環境でも同様に動作することが明らかになるであろう。
【００１６】
メモリ１０４は、データ処理システム１００に本明細書で開示される方法又は機能のうちの任意の１つ以上を行わせるように実行され得る、命令１１６を含む。データ処理システム１００は、スタンドアロンデバイスとして動作し得、又は、例えばネットワークを使用して、他のコンピュータシステム又は周辺デバイスに接続され得る。メモリ１０４はまた、システムに記憶された各プラットフォームのユーザインターフェース１１８をシミュレートするために、１組のアイコンも含む。例えば、システム１００は、ｉＰｈｏｎｅ（登録商標）プラットフォームのユーザインターフェースをシミュレートするために、１組のアイコンを含み得る。システム１００はまた、Ａｎｄｒｏｉｄ（登録商標）プラットフォームのユーザインターフェースをシミュレートするために、１組のアイコンも含み得る。ｉＰｈｏｎｅ（登録商標）又はＡｎｄｒｏｉｄ（登録商標）プラットフォームに関して説明されているが、当業者は、本発明が、他のスマートデバイスプラットフォームの種々のユーザインターフェースを記憶し得ることを認識するであろう。ユーザインターフェースは、スマートフォンデバイスからダウンロードされ得るが、グラフィックスをダウンロードするために必要とされる時間、及びスマートデバイスから不必要なグラフィックスを記憶するために必要とされるメモリを回避するために、本発明と一致する好ましい実施形態は、既に車両ヘッドユニットメモリ１０４に記憶された、種々のスマートデバイスプラットフォームのための１組のアイコンを有する。
【００１７】
図２Ａ〜図２Ｃのフローチャートは、本発明の実現形態と一致する、車両ヘッドユニットデータ処理システム１００の動作に関する追加的な詳細を提供する。システムは、最初に、車両がオンになっているかどうかを判定する（ステップ２０２）。車両がオンになった後に、システムは、車両の標準ユーザインターフェースを表示する（ステップ２０４）。図３は、車両ヘッドユニット上の標準ユーザインターフェース３００の実施例を表す。ユーザインターフェース３００は、ユーザインターフェース３００が車両の標準ユーザインターフェースであることを示すために、車両３０２を表示する。ユーザインターフェース３００はまた、時間３０４、日付３０６、及び天気３０８も表示する。ユーザインターフェース３００はまた、ラジオボタン３１０、電話ボタン３１２、アプリケーションボタン３１４、ナビゲーションボタン３１６、及び設定ボタン３１８も含む。
【００１８】
図２Ａのプロセスに戻ると、車両の標準ユーザインターフェースを表示した後に、システムは、それが車両内のスマートデバイスを検出したかどうかを判定する（ステップ２０６）。システムは、スマートデバイスを検出した場合に、スマートデバイスのプラットフォームを判定する（ステップ２０８、図２Ｂ）。例えば、スマートデバイスプラットフォームは、ｉＰｈｏｎｅ（登録商標）又はＡｎｄｒｏｉｄ（登録商標）であり得る。システムは、次いで、デバイスのプラットフォームが既知のプラットフォームであるかどうかを判定する（ステップ２１０）。換言すれば、システムは、デバイスのプラットフォームのための１組のユーザインターフェースがメモリ１０４に記憶されているかどうかを判定する。デバイスのプラットフォームが既知のプラットフォームである場合に、システムは、スマートデバイスユーザを識別し（ステップ２１２）、ユーザが許可されたユーザであるかどうか判定する（ステップ２１４）。システムは、ユーザが許可されたユーザであると判定した場合に、メモリ１０４からプラットフォームのユーザインターフェースを検索し（ステップ２１６）、ユーザアバターをディスプレイ上に配置する（ステップ２１８）。例えば、図４は、ｉＰｈｏｎｅ（登録商標）アバター（avatar）４０２及びＡｎｄｒｏｉｄ（登録商標）アバター（avatar）４０４を有する図３の車両ユーザインターフェースを表す。２つのアバターによって表されているが、当業者は、本システムが１つのスマートデバイスだけを検出し、表示し得ること、又は任意の数のスマートデバイスを検出し、表示し得ることを認識するであろう。システムはまた、アバターを有するユーザ（図示せず）の識別情報も含んでもよい（ステップ２２０）。例えば、ユーザの名前がアバターに含まれてもよいし、ユーザ固有のアバターが表示されてもよい。
【００１９】
アバターをディスプレイ上に配置した後に、システムは、スマートデバイスがディスプレイ上で選択されたかどうかを判定する（ステップ２２２、図２Ｃ）。システムはまた、ステップ２１０で、デバイスのプラットフォームが既知のプラットフォームでないと判定した場合、又はステップ２１４で、ユーザが許可されたユーザでないと判定した場合にもこのステップを行う。
【００２０】
ステップ２２２で、システムは、スマートデバイスが選択されたと判定した場合に、ヘッドユニット上で選択したスマートデバイスのユーザインターフェースをシミュレートする（ステップ２２４）。システムは、次いで、車両がまだオンであることを調べて確認する（ステップ２２６）。車両がオフになった場合は、プロセスを終了する。代替として、車両ヘッドユニットは、車両がオフになった後にヘッドユニットがある期間にわたって作動状態を維持するように、遅延アクセサリを含み得る。好ましい実施形態では、バッテリが消耗しないことを確実にするために、ヘッドユニットは、約１０分後に停止状態になる。ステップ２２６で、車両がまだオンである場合、システムは、別のスマートデバイスを検出したかどうかを判定する（ステップ２２８）。システムは、別のスマートデバイスを検出した場合に、図２Ｂのステップ２０８に戻り、スマートデバイスプラットフォームを判定する。そうでない場合は、ステップ２２２に戻り、別のスマートデバイスが選択されたかどうかを判定する。
【００２１】
図５は、ｉＰｈｏｎｅ（登録商標）に基づくスマートデバイスのための、本発明と一致するユーザインターフェース５００の一実施形態を表す。ユーザインターフェース５００は、写真５０２、株式５０４、時計５０６、Ｐａｎｄｏｒａ５０８、地図５１０、連絡先５１２、ユーザマニュアル５１４、メール５１６、カレンダー５１８、音声メモ５２０、ラジオ５２２、音楽５２４、ホームボタン５２６、電話５２８、及び設定５３０のためのアイコンを含む。
【００２２】
図６は、ｉＰｈｏｎｅ（登録商標）に基づくスマートデバイスのための、本発明と一致するユーザインターフェース６００の別の実施形態を表す。ユーザインターフェース６００は、図５のユーザインターフェース５００上の音楽アイコン５２４を選択した場合に表示される。ユーザインターフェース６００は、アーティスト６０２、アルバム６０４、又は曲６０６によって曲を列記するためのアイコンを含む。ユーザインターフェース６００はまた、スマートデバイス上の全ての曲がアルファベット順に列記され得ること（６０８）も示す。ユーザインターフェース６００は、曲をリピートする（６１０）、再生する（６１２）、又はスキップする（６１４）ためのアイコンを含む。ユーザインターフェースはまた、音楽を順番に再生する（６１６）、又は曲をシャッフルする（６１８）ためのアイコンも含み、また、メイン画面に戻るためのホームボタン６２０を含む。
【００２３】
図７は、ｉＰｈｏｎｅ（登録商標）に基づくスマートデバイスのための、本発明と一致するユーザインターフェース７００の更なる実施形態を表す。ユーザインターフェース７００は、図５のユーザインターフェース５００上の電話アイコン５２８を選択した場合に表示される。ユーザインターフェース７００は、頻繁に通話した番号７０２、ボイスメール７０４、最近発信した番号７０６、連絡先リスト７０８、通話ボタン７１０、キーパッド７１２、及びメイン画面に戻るためのホームボタン７１４のためのアイコンを含む。ユーザインターフェース７００はまた、キーパッド７１６も表し、キーパッドアイコン７１２を選択した場合に表示される。
【００２４】
図８は、ｉＰｈｏｎｅ（登録商標）に基づくスマートデバイスのための、本発明と一致するユーザインターフェース８００のさらに別の実施形態を表す。ユーザインターフェース８００は、図５のユーザインターフェース５００上のラジオアイコン５２２を選択した場合に表示される。ユーザインターフェース８００は、ラジオ放送局をシークする（８０２）、チューニングする（８０４）、及びスキャンする（８０６）ためのアイコンを含む。ユーザインターフェース８００はまた、いくつかのプリセットボタン８０８も含む。
【００２５】
図９は、Ａｎｄｒｏｉｄ（登録商標）に基づくスマートデバイスのための、本発明と一致するユーザインターフェース９００の一実施形態を表す。ユーザインターフェース９００は、電話９０２、住所録９０４、ラジオ９０６、Ａｎｄｒｏｉｄ（登録商標）ストア９０８、地図９１０、カレンダー９１２、目覚まし時計９１４、車両情報９１６、ＳＫＹＰＥ（登録商標）９１８、及び音楽９２０のためのアイコンを含む。ユーザインターフェース９００はまた、メニュー９２２、戻る９２４、ホーム９２６、音声９２８、及び設定９３０のためのアイコンも含む。インターフェース９２２〜９３０は、スマートデバイスボタン又は車両グローバルプリセットボタンを表すことができ、ソフトウェア又は機械ボタンとすることができる。
【００２６】
図１０は、Ａｎｄｒｏｉｄ（登録商標）に基づくスマートデバイスのための、本発明と一致するユーザインターフェース１０００の別の実施形態を表す。ユーザインターフェース１０００は、図９のユーザインターフェース９００上の音楽アイコン９２０を選択した場合に表示される。ユーザインターフェース１０００は、アーティスト１００２、アルバム１００４、又は曲１００６によって曲を列記するためのアイコンを含む。ユーザインターフェース１０００はまた、スマートデバイス上の全ての曲がアルファベット順に列記され得ること（１００８）も示す。ユーザインターフェース１０００は、曲をリピートする（１０１０）、再生する（１０１２）、又はスキップする（１０１４）ためのアイコンを含む。ユーザインターフェース１０００はまた、音楽を順番に再生する（１０１６）アイコン、又は曲をシャッフルする（１０１８）ためのアイコンも含む。
【００２７】
図１１は、Ａｎｄｒｏｉｄ（登録商標）に基づくスマートデバイスのための、本発明と一致するユーザインターフェース１１００の更なる実施形態を表す。ユーザインターフェース１１００は、図９のユーザインターフェース９００上の電話アイコン９０２を選択した場合に表示される。ユーザインターフェース１１００は、最近発信及び受信した番号１１０２、連絡先リスト１１０４、キーパッド１１０６、及び削除ボタン１１０８のためのアイコンを含む。ユーザインターフェース１１００はまた、キーパッド１１１０も表し、キーパッドアイコン１１０６を選択した場合に表示される。ユーザインターフェース１１００はまた、通話１１１２及び終話１１１４アイコンも含む。
【００２８】
図１２は、Ａｎｄｒｏｉｄ（登録商標）に基づくスマートデバイスのための、本発明と一致するユーザインターフェース１２００のさらに別の実施形態を表す。ユーザインターフェース１２００は、図９のユーザインターフェース９００上の地図アイコン９１０を選択した場合に表示される。ユーザインターフェース１２００は、交通１２０２、衛星１２０４、ハイブリッド１２０６、及び地図１２０８のためのアイコンを含む。
【００２９】
種々の本発明の実施形態を説明してきたが、当業者には、本発明の範囲の範囲内であるさらに多くの実施形態及び実現形態が可能であることが明らかになるであろう。故に、本発明は、添付の特許請求の範囲及びそれらの等価物に照らすことを除いて、制限されるべきではない。
【符号の説明】
【００３０】
１００  データ処理システム
１０２  プロセッサ
１０４  メモリ
１０６  ディスプレイ
１０８  オーディオ出力
１１０  入力デバイス
１１２  通信インターフェース
１１４  システムバス
１１６  命令
１１８  ユーザインターフェース
【図１】
2015051762.tif 000003
【図２Ａ】
2015051762.tif 000004
【図２Ｂ】
2015051762.tif 000005
【図２Ｃ】
2015051762.tif 000006
【図３】
2015051762.tif 000007
【図４】
2015051762.tif 000008
【図５】
2015051762.tif 000009
【図６】
2015051762.tif 000010
【図７】
2015051762.tif 000011
【図８】
2015051762.tif 000012
【図９】
2015051762.tif 000013
【図１０】
2015051762.tif 000014
【図１１】
2015051762.tif 000015
【図１２】
2015051762.tif 000016